【手続補正書】
【提出日】平成30年12月5日(2018.12.5)
【手続補正１】
【補正対象書類名】特許請求の範囲
【補正対象項目名】全文
【補正方法】変更
【補正の内容】
【特許請求の範囲】
【請求項１】
第１アクセスポイント、少なくとも１つの第２アクセスポイント、制御エンティティ、及びステーションを含むマルチアクセスポイント無線ローカルエリアネットワーク環境におけるエクスペリエンスの無線ローカルエリアネットワークユーザ品質を制御する方法であって、前記第１アクセスポイントと前記少なくとも１つの第２アクセスポイントとの間に通信チャネルが構築され、前記ステーションが前記第１アクセスポイントに関連する、前記方法において、
前記制御エンティティが、前記第１アクセスポイントによって生成され公開されたリンク品質報告を受け取ることと、
前記制御エンティティが、前記少なくとも１つの第２アクセスポイントによって生成され公開された環境品質報告を受け取ることと、
前記制御エンティティが、該制御エンティティにより前記第１アクセスポイントから連続した受け入れられないリンク品質報告及び品質アラームを受け取ると、前記第１アクセスポイントに、アクセス制御リストを介して前記ステーションのメディアアクセスコントロールアドレスをブラックリストに登録させることと、
前記制御エンティティが、能動的に前記ステーションとの接続を切るよう前記第１アクセスポイントに指示することと、
前記制御エンティティが、前記受け取られた環境品質報告に基づき、前記少なくとも１つの第２アクセスポイントのうちの少なくとも１つを、前記ステーションを接続する新しいターゲットアクセスポイントとして決定することと、
前記制御エンティティが、前記少なくとも１つの第２アクセスポイントのうちの前記決定された少なくとも１つにおいて前記ステーションをホワイトリストに登録することと
を有する方法。
【請求項２】
前記制御エンティティが、能動的に前記ステーションとの接続を切るよう前記第１アクセスポイントに指示することによって、前記ステーションに、前記少なくとも１つの新しいターゲットアクセスポイントの中の１つへ接続させること
を更に有する請求項１に記載の方法。
【請求項３】
前記制御エンティティが、前記リンク品質報告及び前記環境品質報告に基づきリンク品質スコアを計算すること
を更に有する請求項１又は２に記載の方法。
【請求項４】
前記制御エンティティが、最大物理レイヤ（ＰＨＹ）レート、物理的制限ＰＨＹレート、訓練された送信ＰＨＹレート、媒体ビジーインジケータ、総可用スループット（電力節約モード（ＰＳ）オフ）、及び可用スループット（電力節約モード（ＰＳ）オン）の値に基づき前記リンク品質スコアを計算すること
を更に有する請求項３に記載の方法。
【請求項５】
前記制御エンティティが、受入可能なリンクを受け入れられないリンクから離す閾値と前記リンク品質スコアを比較することを更に有し、前記閾値は、設定可能な整数閾値である、
請求項３又は４に記載の方法。
【請求項６】
前記制御エンティティが、前記無線ローカルエリアネットワーク環境に新たに組み込まれた追加のアクセスポイントを検出することと、
前記制御エンティティが、少なくとも１つの新たに組み込まれた不適格なアクセスポイントに、前記ブラックリストに登録されたメディアアクセスコントロールアドレスを知らせることと
を更に有する請求項１乃至５のうちいずれか一項に記載の方法。
【請求項７】
前記制御エンティティが、メディアアクセスコントロールアドレスをホワイトリストに登録するよう且つ前記少なくとも１つの新しいターゲットアクセスポイントへの前記ステーションの接続を有効にするよう新しいターゲットアクセスポイントとして適格な少なくとも１つのアクセスポイントに指示すること
を更に有する請求項５に記載の方法。
【請求項８】
第１期間の間前記ブラックリストを保持することと、
前記第１期間の経過後に前記ブラックリストから前記ステーションのメディアアクセスコントロールアドレスを削除することと
を更に有する請求項１乃至７のうちいずれか一項に記載の方法。
【請求項９】
第１アクセスポイント、少なくとも１つの第２アクセスポイント、ステーション、及び制御エンティティを含むマルチアクセスポイント無線ローカルエリアネットワーク環境におけるエクスペリエンスの無線ローカルエリアネットワークユーザ品質を制御するデータを供給する方法であって、前記第１アクセスポイントと前記少なくとも１つの第２アクセスポイントとの間に通信チャネルが構築され、前記制御エンティティが請求項１乃至８のうちいずれか一項に記載の方法を実施するよう構成され、該方法は、
前記ステーションが新しいターゲットアクセスポイントへ接続された後に、
前記第１アクセスポイント及び前記少なくとも１つの第２アクセスポイントのうちの少なくとも１つが、リンク品質報告を生成し、該リンク品質報告を少なくとも前記制御エンティティへ供給すること
を有する、方法。
【請求項１０】
前記リンク品質報告を生成するようアクティブスタイルリンク評価を使用することと、
前記ステーションが接続されるアクセスポイントとのデータ接続を強いることと、
レイヤ２メトリクスデータを前記制御エンティティへ送ることと
を更に有する請求項９に記載の方法。
【請求項１１】
より正確な診断をトリガするよう、試験下のリンクにおいて、前記制御エンティティによって設定された媒体可用性閾値を使用することと、
前記試験下のリンクにストレスを加えさせることと、
干渉、信号強度、及びＰＨＹレイヤ変則性による損失の概略を得ることと、
前記制御エンティティにより、実際の観測されたスループットを物理レイヤパラメータへリンクすることと
を更に有する請求項１０に記載の方法。
【請求項１２】
マルチアクセスポイント環境における無線ローカルエリアネットワークユーザ品質を制御する無線ローカルエリアネットワークシステムであって、
第１アクセスポイントと、
第２アクセスポイントであり、前記第１アクセスポイントと前記第２アクセスポイントとの間に通信チャネルが構築される、前記第２アクセスポイントと、
前記第１アクセスポイント及び前記第２アクセスポイントと通信する制御エンティティと
を有し、
前記第１アクセスポイント及び前記第２アクセスポイントは、リンク品質報告又は環境品質報告を生成し公開し、
前記制御エンティティは、前記リンク品質報告及び前記環境品質報告に基づきリンク品質スコアを計算する、無線ローカルエリアネットワークシステム。
【請求項１３】
前記第１アクセスポイント及び前記第２アクセスポイントと通信するステーションを更に有し、
前記第１アクセスポイントは、該アクセスポイントがプリセットされた閾値を下回るリンク品質スコアを有する場合に能動的に前記ステーションとの接続を切り、該ステーションに、前記閾値を上回るリンク品質スコアを有する他のアクセスポイントにローミングさせる、
請求項１２に記載の無線ローカルエリアネットワークシステム。
【請求項１４】
リンク品質報告又は環境品質報告を生成し制御エンティティへ公開し、該制御エンティティからのコマンドに基づき能動的にステーションとの接続を切るソフトウェアコードを有するアクセスポイント。
【請求項１５】
リンク品質報告及び環境品質報告に基づきリンク品質スコアを計算し、アクセスポイントから連続した受け入れられないリンク品質報告及び品質アラームを受け取ると、アクセス制御リストを介してステーションのメディアアクセスコントロールアドレスをブラックリストに登録するソフトウェアコードを有する制御エンティティ。
【手続補正２】
【補正対象書類名】明細書
【補正対象項目名】００６０
【補正方法】変更
【補正の内容】
【００６０】
本発明の有利な実施形態が音楽又は他のオーディオコンテンツに制限されないことは、明らかである。映画又はゲームさえ、本発明の実施形態に従うモバイルアプリケーションを用いて上述されたのと同じようにして共有され得る。  
上記の実施形態に加えて、以下の付記を開示する。
（付記１）
第１アクセスポイント（１１）、少なくとも１つの第２アクセスポイント（１２）、制御エンティティ（１３）、及びステーション（１４）を含むマルチアクセスポイント無線ローカルエリアネットワーク環境（１０）におけるエクスペリエンスの無線ローカルエリアネットワーク（ＷＬＡＮ）ユーザ品質を制御する方法（３０）であって、前記第１アクセスポイント（１１）と前記少なくとも１つの第２アクセスポイント（１２）との間に通信チャネル（１５）が構築され、前記ステーションが前記第１アクセスポイント（１１）に関連する、前記方法において、
前記制御エンティティ（１３）が、前記第１アクセスポイント（１１）によって生成され公開されたリンク品質報告を受け取ることと、
前記制御エンティティ（１３）が、前記少なくとも１つの第２アクセスポイント（１２）によって生成され公開された環境品質報告を受け取ることと、
前記制御エンティティ（１３）が、該制御エンティティ（１３）により前記第１アクセスポイント（１１）から連続した受け入れられないリンク品質報告及び品質アラームを受け取ると、前記第１アクセスポイント（１１）に、アクセス制御リスト（ＭＡＣ  ＡＣＬ）を介して前記ステーション（１４）のメディアアクセスコントロール（ＭＡＣ）アドレスをブラックリストに登録させることと、
前記制御エンティティ（１３）が、能動的に前記ステーション（１４）との接続を切るよう前記第１アクセスポイント（１１）に指示することと、
前記制御エンティティ（１３）が、前記受け取られた環境品質報告に基づき、前記少なくとも１つの第２アクセスポイント（１２）のうちの少なくとも１つを、前記ステーション（１４）を接続する新しいターゲットアクセスポイントとして決定することと、
前記制御エンティティ（１３）が、前記少なくとも１つの第２アクセスポイント（１２）のうちの前記決定された少なくとも１つにおいて前記ステーション（１４）をホワイトリストに登録することと
を有する方法。
（付記２）
前記制御エンティティ（１３）が、能動的に前記ステーション（１４）との接続を切るよう前記第１アクセスポイント（１１）に指示することによって、前記ステーション（１４）に、前記少なくとも１つの新しいターゲットアクセスポイント（１２）の中の１つへ接続させること
を更に有する付記１に記載の方法。
（付記３）
前記制御エンティティ（１３）が、前記リンク品質報告及び前記環境品質報告に基づきリンク品質スコアを計算すること
を更に有する付記１又は２に記載の方法。
（付記４）
前記制御エンティティ（１３）が、最大物理レイヤ（ＰＨＹ）レート（２１）、物理的制限ＰＨＹレート（２２）、訓練された送信ＰＨＹレート（２３）、媒体ビジーインジケータ（２４）、総可用スループット（電力節約モード（ＰＳ）オフ）（２５）、及び可用スループット（電力節約モード（ＰＳ）オン）（２６）の値に基づき前記リンク品質スコアを計算すること
を更に有する付記３に記載の方法。
（付記５）
前記制御エンティティ（１３）が、受入可能なリンクを受け入れられないリンクから離す閾値と前記リンク品質スコアを比較することを更に有し、前記閾値は、設定可能な整数閾値である、
付記３又は４に記載の方法。
（付記６）
前記制御エンティティ（１３）が、前記無線ローカルエリアネットワーク環境（１０）に新たに組み込まれた追加のアクセスポイントを検出することと、
前記制御エンティティ（１３）が、少なくとも１つの新たに組み込まれた不適格なアクセスポイントに、前記ブラックリストに登録されたメディアアクセスコントロール（ＭＡＣ）アドレスを知らせることと
を更に有する付記１乃至５のうちいずれか一つに記載の方法。
（付記７）
前記制御エンティティ（１３）が、メディアアクセスコントロールアドレスをホワイトリストに登録するよう且つ前記少なくとも１つの新しいターゲットアクセスポイントへの前記ステーション（１４）の接続を有効にするよう新しいターゲットアクセスポイントとして適格な少なくとも１つのアクセスポイントに指示すること
を更に有する付記５に記載の方法。
（付記８）
第１期間の間前記ブラックリストを保持することと、
前記第１期間の経過後に前記ブラックリストから前記ステーション（１４）のメディアアクセスコントロール（ＭＡＣ）アドレスを削除することと
を更に有する付記１乃至７のうちいずれか一つに記載の方法。
（付記９）
第１アクセスポイント（ＡＰ）（１１）、少なくとも１つの第２アクセスポイント（１２）、ステーション（１４）、及び制御エンティティ（１３）を含むマルチアクセスポイント無線ローカルエリアネットワーク環境（１０）におけるエクスペリエンスの無線ローカルエリアネットワーク（ＷＬＡＮ）ユーザ品質を制御するデータを供給する方法（３０）であって、前記第１アクセスポイント（１１）と前記少なくとも１つの第２アクセスポイント（１２）との間に通信チャネル（１５）が構築され、前記制御エンティティ（１３）が付記１乃至８のうちいずれか一つに記載の方法を実施するよう構成され、該方法は、
前記ステーション（１４）が新しいターゲットアクセスポイントへ接続された後に、
前記第１アクセスポイント（１１）及び前記少なくとも１つの第２アクセスポイント（１２）のうちの少なくとも１つが、リンク品質報告を生成し、該リンク品質報告を少なくとも前記制御エンティティ（１３）へ供給すること
を有する、方法。
（付記１０）
前記リンク品質報告を生成するようアクティブスタイルリンク評価を使用することと、
前記ステーション（１４）が接続されるアクセスポイント（１１）とのデータ接続を強いることと、
レイヤ２メトリクスデータを前記制御エンティティ（１３）へ送ることと
を更に有する付記９に記載の方法。
（付記１１）
より正確な診断をトリガするよう、試験下のリンクにおいて、前記制御エンティティ（１３）によって設定された媒体可用性閾値を使用することと、
前記試験下のリンクにストレスを加えさせることと、
干渉、信号強度、及びＰＨＹレイヤ変則性による損失の概略を得ることと、
前記制御エンティティ（１３）により、実際の観測されたスループットを物理レイヤパラメータへリンクすることと
を更に有する付記１０に記載の方法。
（付記１２）
マルチアクセスポイント環境における無線ローカルエリアネットワークユーザ品質を制御する無線ローカルエリアネットワーク（ＷＬＡＮ）システム（１０）であって、
第１アクセスポイント（ＡＰ）（１１）と、
第２アクセスポイント（１２）であり、前記第１アクセスポイント（１１）と前記第２アクセスポイント（１２）との間に通信チャネル（１５）が構築される、前記第２アクセスポイントと、
前記第１アクセスポイント（１１）及び前記第２アクセスポイント（１２）と通信する制御エンティティ（１３）と
を有し、
前記第１アクセスポイント（１１）及び前記第２アクセスポイント（１２）は、リンク品質報告又は環境品質報告を生成し公開し、
前記制御エンティティ（１３）は、前記リンク品質報告及び前記環境品質報告に基づきリンク品質スコアを計算する、無線ローカルエリアネットワークシステム。
（付記１３）
前記第１アクセスポイント（１１）及び前記第２アクセスポイント（１２）と通信するステーション（ＳＴＡ）（１４）を更に有し、
前記第１アクセスポイント（１１）は、該アクセスポイントがプリセットされた閾値を下回るリンク品質スコアを有する場合に能動的に前記ステーション（１４）との接続を切り、該ステーション（１４）に、前記閾値を上回るリンク品質スコアを有する他のアクセスポイント（１２）にローミングさせる、
付記１２に記載の無線ローカルエリアネットワークシステム（１０）。
（付記１４）
リンク品質報告又は環境品質報告を生成し制御エンティティ（１３）へ公開し、該制御エンティティ（１３）からのコマンドに基づき能動的にステーション（１４）との接続を切るソフトウェアコードを有するアクセスポイント（１１，１２）。
（付記１５）
リンク品質報告及び環境品質報告に基づきリンク品質スコアを計算し、アクセスポイント（１１，１２）から連続した受け入れられないリンク品質報告及び品質アラームを受け取ると、アクセス制御リスト（ＭＡＣ  ＡＣＬ）を介してステーション（１４）のメディアアクセスコントロール（ＭＡＣ）アドレスをブラックリストに登録するソフトウェアコードを有する制御エンティティ（１３）。